(57)【要約】【課題】非会員に対する確実な入会案内の配信と入会手続きの為の手間の軽減を実現する。【解決手段】決済端末２は、電子マネー機能搭載の携帯端末１０との一般的な電子マネー決済処理の際に、当該携帯端末１０のカードＩＤをサーバ１へ送信する。サーバ１はこのカードＩＤを用いて会員情報テーブルを検索して、該当するデータが無ければ（つまり、非会員であれば）、サーバ１への誘導情報を含む入会案内電子データを決済端末２へ送信する。決済端末２は、この入会案内電子データを携帯端末１０に書き込む。【選択図】図１
2009042849.tif 000002
【特許請求の範囲】
【請求項１】
電子マネー機能搭載の携帯端末と接触型／非接触型の通信を行って電子マネー決済処理を行う決済端末とサーバとがネットワークに接続されたシステムであって、
前記決済端末は、前記電子マネー決済処理時に、前記携帯端末から所定の識別情報を読み出して該識別情報をユーザ識別情報として前記ネットワークを介して前記サーバへ送信する識別情報送信手段を有し、
前記サーバは、
各ユーザ識別情報に対応付けて会員又は非会員を示す情報を格納する会員情報記憶手段と、
任意の前記決済端末が送信した前記ユーザ識別情報を受信すると、該受信したユーザ識別情報を用いて前記会員情報記憶手段を検索して、該当するユーザ識別情報が登録されているか否かを判定し、登録されていない場合には前記受信したユーザ識別情報を前記非会員として該会員情報記憶手段に新規登録する会員情報登録手段と、
前記会員情報記憶手段への新規登録が行われた場合、任意の勧誘文と該サーバへの誘導情報を含む入会案内電子データを、前記ユーザ識別情報送信元の決済端末へ配信する入会案内配信手段とを有し、
前記決済端末は、該配信された入会案内電子データを前記携帯端末に記憶させる入会案内書込手段を更に有し、
該携帯端末は、前記入会案内電子データに基づいて、前記勧誘文を表示可能となり、前記誘導情報に従って前記サーバにアクセス可能となることを特徴とする会員勧誘システム。
【請求項２】
前記サーバは、前記受信したユーザ識別情報が前記会員情報登録手段に登録されている場合であっても、それが前記非会員である場合には、前記入会案内電子データの配信を行うことを特徴とする請求項１記載の会員勧誘システム。
【請求項３】
前記サーバは、任意の前記携帯端末から前記誘導情報に従ったアクセスがあり、所定の入会手続きが行われた場合、前記会員情報記憶手段において該アクセス元の携帯端末に係る前記ユーザ識別情報に対応する情報を、前記非会員から会員へと変更することを特徴とする請求項１又は２記載の会員勧誘システム。
【請求項４】
前記決済端末の前記識別情報送信手段は、前記電子マネー決済処理に係る決済情報を前記ユーザ識別情報と共に送信し、
前記サーバは、受信した決済情報を受信したユーザ識別情報に対応付けて記憶する決済履歴記憶手段と、前記入会案内電子データのテンプレートであって前記勧誘文中に入会特典に係る可変情報を埋め込み可能なテンプレートを記憶するテンプレート記憶手段と、前記受信した決済情報又は決済履歴記憶手段に記憶されている各決済情報に基づいて、前記可変情報を生成してこれを前記テンプレートに埋め込むことで前記入会案内電子データを作成する入会案内作成手段とを更に有することを特徴とする請求項１記載の会員勧誘システム。
【請求項５】
前記サーバは、任意の前記携帯端末から前記誘導情報に従ったアクセスがあり、所定の入会手続きが行われた場合、前記入会特典に係る可変情報が示す特典として、前記決済情報に含まれる決済金額に応じたポイント又は前記決済履歴記憶手段を参照して得られる決済金額合計に応じてポイントを付与することを特徴とする請求項４記載の会員勧誘システム。
【請求項６】
識別情報送信手段が読み出す前記所定の識別情報は、前記携帯端末内臓のＩＣカードのカードＩＤであることを特徴とする請求項１〜５の何れかに記載の会員勧誘システム。
【請求項７】
電子マネー機能搭載の携帯端末と接触型／非接触型の通信を行って電子マネー決済処理を行う決済端末とサーバとがネットワークに接続されたシステムにおける前記サーバであって、
各識別情報に対応付けて会員又は非会員を示す情報を格納する会員情報記憶手段と、
任意の前記決済端末が送信した任意の前記携帯端末の前記識別情報を受信すると、該受信した識別情報を用いて前記会員情報記憶手段を検索して、該当する識別情報が登録されているか否かを判定し、登録されていない場合には前記受信した識別情報を前記非会員として該会員情報記憶手段に新規登録する会員情報登録手段と、
前記会員情報記憶手段への新規登録が行われた場合、任意の勧誘文と該サーバへの誘導情報を含む入会案内電子データを、前記識別情報送信元の決済端末へ配信する入会案内配信手段と、
を有することを特徴とするサーバ。
【請求項８】
任意の前記決済端末が前記識別情報と共に送信した決済情報を受信すると、受信した決済情報を受信した識別情報に対応付けて記憶する決済履歴記憶手段と、
前記入会案内電子データのテンプレートであって前記勧誘文中に入会特典に係る可変情報を埋め込み可能なテンプレートを記憶するテンプレート記憶手段と、
前記受信した決済情報又は決済履歴記憶手段に記憶されている各決済情報に基づいて、前記可変情報を生成してこれを前記テンプレートに埋め込むことで前記入会案内電子データを作成する入会案内作成手段と、
を更に有することを特徴とする請求項７記載のサーバ。
【請求項９】
電子マネー機能搭載の携帯端末と接触型／非接触型の通信を行って電子マネー決済処理を行う決済端末とサーバとがネットワークに接続されたシステムにおける前記サーバのコンピュータを、
各識別情報に対応付けて会員又は非会員を示す情報を格納する会員情報記憶手段と、
任意の前記決済端末が送信した任意の前記携帯端末の前記識別情報を受信すると、該受信した識別情報を用いて前記会員情報記憶手段を検索して、該当する識別情報が登録されているか否かを判定し、登録されていない場合には前記受信した識別情報を前記非会員として該会員情報記憶手段に新規登録する会員情報登録手段と、
前記会員情報記憶手段への新規登録が行われた場合、任意の勧誘文と該サーバへの誘導情報を含む入会案内電子データを、前記識別情報送信元の決済端末へ配信する入会案内配信手段、
として機能させる為のプログラム。
【請求項１０】
請求項９に記載のコンピュータを更に、
任意の前記決済端末が前記識別情報と共に送信した決済情報を受信すると、受信した決済情報を受信した識別情報に対応付けて記憶する決済履歴記憶手段と、
前記入会案内電子データのテンプレートであって前記勧誘文中に入会特典に係る可変情報を埋め込み可能なテンプレートを記憶するテンプレート記憶手段と、
前記受信した決済情報又は決済履歴記憶手段に記憶されている各決済情報に基づいて、前記可変情報を生成してこれを前記テンプレートに埋め込むことで前記入会案内電子データを作成する入会案内作成手段、
として機能させる為の請求項９記載のプログラム。
【発明の詳細な説明】
【技術分野】
【０００１】
本発明は、会員サービスシステムにおける会員登録に関し、特に、携帯端末を用いる電子マネー決済時に会員登録の勧誘を行うシステム等に関する。
【背景技術】
【０００２】
各種会員サービスにおける会員勧誘では、入会方法や入会のメリットを説明する広告、非会員を勧誘した会員への優遇措置、などで非会員に対する入会の動機づけを行っている。しかし、雑踏の中であったりすれば、広告・ポスターを立ち止まってゆっくり見たり手荷物になるチラシやパンフレット等を持ち帰ったりしてくれない。また、優良顧客にターゲットを絞った効果的な顧客の囲い込みが難しいだけでなく、期間限定のキャンペーンの度に新しい広告を印刷するなど、入会促進コストは高くつく。さらに、顧客によっては入会手続きの手間を煩わしがり、なかなか入会してくれない。
【０００３】
例えば、特許文献１の発明では、優良顧客に対してのみ入会の勧誘を行えるようにし、入会促進コストを低減する。クレジットカードやデビットカードでの決済時に、決済履歴が入会促進条件を満たす顧客の場合に、レシートに入会促進情報を印刷することで、店員は決済時に非会員が優良顧客か否かを把握でき、優良顧客に対して入会案内できる。これにより、広告の印刷等のコストが減らせて、優良と判断した顧客に絞って入会を勧められる。
【０００４】
また、特許文献２の発明では、会員サービスへの入会を速やかに行える。会員サービスを提供する店舗用端末からアクセスできるサーバに、顧客の携帯端末からもアクセスでき会員登録できるよう、入会手続きを簡素化している。これにより、入会申込書の作成や申込書郵送など手続きの煩わしさから敬遠されがちな会員サービス入会の敷居を低くできる。
【特許文献１】特開２００２−１６３５８７号公報
【特許文献２】特開２００２−９９７９９号公報
【発明の開示】
【発明が解決しようとする課題】
【０００５】
しかしながら、上記特許文献１の発明では、優良顧客と判断された顧客に対してのみの入会案内であるうえに、勧誘を店員が行うので、行列のできるレジ等では後に並んでいる顧客を更に待たせることになる。また、入会手続きは別途必要であり、入会したとしても付加価値が得られるのは次回以降の決済からとなるため、入会をやめてしまう顧客も出てくる。
【０００６】
また、上記特許文献２の発明では、会員サービスへの入会の意思を持つ非会員に対して入会手続きの煩わしさを軽減するものであるが、非会員に対して入会を動機づけるものではない。
【０００７】
例えば以下に列挙する事を実現できれば、来店してくれた顧客に対して効率的に入会を促進することが可能となる。
１．会員サービスのメリット等を不特定多数の非会員に理解してもらうため、入会案内をいつでも見てもらえるようにすること。
【０００８】
２．非会員の優良顧客をより効果的に囲い込むため、顧客の決済状況別に入会案内できること。
３．決済後の入会案内で入会の動機づけをより効果的に行うため、未入会時の対象となる決済分の付加価値を入会時に得られるようにすること。
【０００９】
４．入会手続きの煩わしさをなくすため、入会手続き完了までの手間を軽減、処理を短縮すること。
本発明の課題は、非会員の電子マネー機能搭載の携帯端末による決済時に、この携帯端末にサーバへの誘導情報を含む入会案内電子データを書き込むことで、非会員がこの入会案内をいつでも参照できると共に携帯端末から容易に入会手続きを行うことができるようにし、以って入会を促進することが可能となり、あるいは更に非会員の決済状況等に応じた入会特典を個別に求めてこの入会特典を付与する旨を上記入会案内電子データに含めると共にその後に入会した場合にはこの入会特典を付与することで、特に優良顧客の入会を更に促進することが可能となる会員勧誘システム、そのサーバ、プログラム等を提供することである。
【課題を解決するための手段】
【００１０】
本発明の会員勧誘システムは、電子マネー機能搭載の携帯端末と接触型／非接触型の通信を行って電子マネー決済処理を行う決済端末とサーバとがネットワークに接続されたシステムであって、前記決済端末は、前記電子マネー決済処理時に、前記携帯端末から所定の識別情報を読み出して該識別情報をユーザ識別情報として前記ネットワークを介して前記サーバへ送信する識別情報送信手段を有し、前記サーバは、各ユーザ識別情報に対応付けて会員又は非会員を示す情報を格納する会員情報記憶手段と、任意の前記決済端末が送信した前記ユーザ識別情報を受信すると、該受信したユーザ識別情報を用いて前記会員情報記憶手段を検索して、該当するユーザ識別情報が登録されているか否かを判定し、登録されていない場合には前記受信したユーザ識別情報を前記非会員として該会員情報記憶手段に新規登録する会員情報登録手段と、前記会員情報記憶手段への新規登録が行われた場合、任意の勧誘文と該サーバへの誘導情報を含む入会案内電子データを、前記ユーザ識別情報送信元の決済端末へ配信する入会案内配信手段とを有し、前記決済端末は、該配信された入会案内電子データを前記携帯端末に記憶させる入会案内書込手段を更に有し、該携帯端末は、前記入会案内電子データに基づいて、前記勧誘文を表示可能となり、前記誘導情報に従って前記サーバにアクセス可能となる。
【００１１】
上記会員勧誘システムでは、一般的な決済端末での電子マネー決済処理に伴って、決済端末とサーバとの連携動作により、当該決済を行ったユーザが非会員である場合にはその携帯端末に、サーバへの誘導情報を含む入会案内電子データを書き込む。これにより、非会員のユーザを確実に勧誘でき、ユーザはいつでも勧誘内容を表示・参照できると共に、誘導情報に従って容易にサーバにアクセスして入会手続きを行うことができる。
【００１２】
また、例えば、前記サーバは、前記受信したユーザ識別情報が前記会員情報登録手段に登録されている場合であっても、それが前記非会員である場合には、前記入会案内電子データの配信を行う。
【００１３】
この様に、勧誘を行うのは１回だけとは限らない。
また、例えば、前記サーバは、任意の前記携帯端末から前記誘導情報に従ったアクセスがあり、所定の入会手続きが行われた場合、前記会員情報記憶手段において該アクセス元の携帯端末に係る前記ユーザ識別情報に対応する情報を、前記非会員から会員へと変更する。
【００１４】
また、例えば、前記決済端末の前記識別情報送信手段は、前記電子マネー決済処理に係る決済情報を前記ユーザ識別情報と共に送信し、前記サーバは、受信した決済情報を受信したユーザ識別情報に対応付けて記憶する決済履歴記憶手段と、前記入会案内電子データ
のテンプレートであって前記勧誘文中に入会特典に係る可変情報を埋め込み可能なテンプレートを記憶するテンプレート記憶手段と、前記受信した決済情報又は決済履歴記憶手段に記憶されている各決済情報に基づいて、前記可変情報を生成してこれを前記テンプレートに埋め込むことで前記入会案内電子データを作成する入会案内作成手段とを更に有する。
【００１５】
この様に、各ユーザ毎にそのユーザの決済情報（決済金額等）に基づく入会特典を生成して、これを入会案内電子データ中に埋め込むので、入会特典によって入会への動機付けが増えることで更に入会促進を図ることができる。また、ユーザ個別の入会特典が与えられるので、例えば、決済金額が多いユーザほど得な入会特典を与えられる等、優良な顧客の入会促進を図ることができる。
【００１６】
例えば、前記サーバは、任意の前記携帯端末から前記誘導情報に従ったアクセスがあり、所定の入会手続きが行われた場合、前記入会特典に係る可変情報が示す特典として、前記決済情報に含まれる決済金額に応じたポイント又は前記決済履歴記憶手段を参照して得られる決済金額合計に応じてポイントを付与する。
【発明の効果】
【００１７】
本発明の会員勧誘システム、そのサーバ、プログラム等によれば、非会員の電子マネー機能搭載の携帯端末による決済時に、この携帯端末にサーバへの誘導情報を含む入会案内電子データを書き込むことで、非会員がこの入会案内をいつでも参照できると共に携帯端末から容易に入会手続きを行うことができるようにし、以って入会を促進することが可能となる。あるいは更に非会員の決済状況等に応じた入会特典を個別に求めてこの入会特典を付与する旨を上記入会案内電子データに含めると共にその後に入会した場合にはこの入会特典を付与することで、特に優良顧客の入会を更に促進することが可能となる。
【発明を実施するための最良の形態】
【００１８】
以下、図面を参照して本発明の実施の形態について説明する。
図１は、本例の会員勧誘システムの概略的なシステム構成図である。図２は、図１に示すシステムにおける決済処理に伴う入会案内配信処理の処理シーケンスを示す。
【００１９】
図１に示す会員勧誘システムは、サーバ１、決済端末２、入会用端末３、携帯端末１０等から成る。サーバ１、端末２、入会用端末３は、それぞれ、インターネット、公衆回線網等のネットワーク４に接続しており、ネットワーク４を介して相互にデータ送受信可能となっている。また、ネットワーク４には例えば携帯電話網等も含まれており、携帯端末１０は例えば携帯電話の無線基地局５等との無線通信を行うことで、ネットワーク４を介して、サーバ１等へのアクセスを行うことができる。
【００２０】
携帯端末１０は、例えばＩＣカード機能搭載の携帯電話等であり、例えば図示の構成を有する。すなわち、携帯端末１０は、所定の機能（通信機能、表示機能、ブラウザ機能等）を実現させるアプリケーションを格納するプログラムメモリ１１、その任意の記憶領域内に配布データ格納フォルダが格納されているデータメモリ１２、非接触型ＩＣカード１３等を有している。非接触型ＩＣカード１３は、例えば電子マネーの残額や当該ＩＣカードを識別する為のユニークなカードＩＤ等を記憶するメモリ１３ａを有している。尚、ＩＣカードは、非接触型に限らない（接触型であってもよい）。
【００２１】
尚、携帯端末１０は、特に図示しないだけであり、基本的に、一般的なＩＣカード機能搭載の携帯電話としての構成は全て有している。
また、ここでは特に図示しないが、サーバ１は一般的なコンピュータの構成を有しており、特にＣＰＵ、記憶装置（図２に示すデータベース（ＤＢ）１ａ等）、メモリ、通信機
能部等を有している。記憶装置（ＤＢ１ａ）には後述する会員情報、決済履歴、勧誘履歴、決済／勧誘履歴等が格納される。また、記憶装置には所定のアプリケーションプログラムが格納されており、上記ＣＰＵ等（演算プロセッサ）がこのアプリケーションを上記メモリ上に読み出し・実行することにより、後述する図２のステップＳ２，Ｓ３，Ｓ４，Ｓ５の処理や図４に示すフローチャートの処理等を実現する。記憶装置はハードディスク等である。
【００２２】
これは、決済端末２や入会用端末３に関しても同様であり、決済端末２や入会用端末３は不図示のＣＰＵ／ＭＰＵ等の演算プロセッサ、記憶部、通信機能部等を有しており、記憶部に格納されている所定のアプリケーションプログラムを、ＣＰＵ等が読み出し・実行することにより、後述する各種処理を実現する。例えば決済端末２は、後述する図２のステップＳ１の処理や図３に示すフローチャートの処理等を実現する。
【００２３】
また、これも図示しないが、決済端末２や入会用端末３は、ＩＣカード・リーダ／ライタ（ここでは非接触型）を備えており、このＩＣカード・リーダ／ライタを介して携帯端末１０（その非接触ＩＣカード１３）との非接触型の通信を行う。
【００２４】
また、決済端末２は、例えばコンビニ、デパート等の各種店舗のレジ横等に設置されている。入会用端末３は任意の場所に設置されている。
また、携帯端末１０に関しても同様に特に図示しないが、携帯端末１０は不図示のＣＰＵ／ＭＰＵ等の演算プロセッサや無線による通信機能部等を有しており、このＣＰＵ等が上記プログラムメモリ１１に格納されている所定のアプリケーションプログラムを読み出し・実行することにより、後述する各種処理を実現する。また、非接触型ＩＣカード１３も特に図示しないが一般的な非接触型ＩＣカードの構成（処理回路等）を有しており、ＩＣカード・リーダ／ライタとの非接触型の通信を行って所定の電子マネー決済処理を実現する。
【００２５】
以下、図２を参照して、上記図１のシステムの概略的な動作について説明する。
まず、任意の携帯端末１０を所持する任意のユーザ等が、任意の決済端末２のところで電子マネーによる決済を行う為に、自己の携帯端末１０を決済端末２が備えるＩＣカード・リーダ／ライタに翳すと、非接触型ＩＣカード１３とＩＣカード・リーダ／ライタとの非接触の通信により、決済端末２は一般的な電子マネー決済処理を実行する（ステップＳ１）。そして、この決済処理完了後、決済端末２は、上記非接触の通信により上記非接触型ＩＣカード１３から上記カードＩＤを読み出して、このカードＩＤを所定の決済情報と共に、ネットワーク４を介してサーバ１へ送信する。この決済情報は、例えば決済日時、決済金額等である。このカードＩＤは、上記の通り各携帯端末１０毎に異なるので、サーバ１側でユーザ識別用のＩＤ（ユーザ識別情報）として用いることができる。
【００２６】
尚、決済情報は、（後述する実施例２では必要になるが）必ずしも送信しなければならないものではない。
サーバ１は、受信したカードＩＤ、決済情報を後述する決済履歴テーブル３０等に追加・記憶する（ステップＳ２）。更に受信したカードＩＤ（ユーザ識別情報）に基づいて後述する会員情報テーブル２０を検索する等して、このカードＩＤが示すユーザが会員であるか否かを確認する（ステップＳ３）。もし会員で無い場合には（非会員の場合には）、入会案内電子データを作成してこれを上記カードＩＤ・決済情報の送信元の決済端末２へ配信する（ステップＳ４）。
【００２７】
ここで、入会案内電子データには、会員登録サーバ（ここではサーバ１）への誘導情報（サーバ１の（サーバ１が提供する会員登録ページ等の）ＵＲＬ）等を付加しておく。これにより、上記携帯端末１０のユーザは、当該自己の携帯端末１０を用いて、後述する入
会（会員登録）の為のアクセスを容易に行えるようになる。
【００２８】
また、今回の勧誘実行（入会案内電子データの配信）に関する各種データを、後述する勧誘履歴テーブル４０等に追加・記憶する（ステップＳ５）。
また、上記ステップＳ４の入会案内電子データの作成は、決済情報が示す条件（決済金額等）に応じた各ユーザ個別の勧誘内容の入会案内電子データを作成するものであってもよい（後述する実施例２）。つまり、例えば入会案内電子データには、上記条件に応じた入会特典（決済金額等を加味した付加価値）などの勧誘文を記載する。これにより、後述する実施例２では、入会の為の動機付けが増えることで更に入会促進を図ることができる。勿論、入会が行われた場合には、上記入会特典が示す付加価値を当該新規入会ユーザに与えることができる。入会特典は、例えば決済金額等に応じたポイントの付与等である。
【００２９】
決済端末２は、上記配信された入会案内電子データ（勧誘文とサーバ１への誘導情報等から成る入会案内電子データ）を受信すると、この入会案内電子データをＩＣカード・リーダ／ライタを介して携帯端末１０側に転送する。
【００３０】
携帯端末１０は、この入会案内電子データを、上記データメモリ１２内の配布データ格納フォルダ内に格納する。
その後、携帯端末１０のユーザが所定の操作を行うことで、上記入会案内電子データの内容（勧誘文等）が携帯端末１０のディスプレイに表示される。そして、ユーザがこの勧誘文を参照して入会する気になったら、上記誘導情報を用いてサーバ１（サーバ１が提供する会員登録ページ等）にアクセスすることができる。そして、携帯端末１０のユーザが、例えば携帯端末１０のディスプレイに表示される会員登録ページ上で所望の入会手続き操作を行うことができる。
【００３１】
尚、サーバ１は、例えば上記決済履歴テーブル３０や勧誘履歴テーブル４０に新規追加したレコードを識別するＩＤ（後述するＡＩＤやＤＩＤ）を上記誘導情報に含めるようにし、この誘導情報を用いた上記アクセスがあると、サーバ１側では、当該誘導情報に含まれる上記ＩＤ（後述するＡＩＤやＤＩＤ）を取得して、このＩＤに紐付く決済履歴／勧誘履歴があることを確認したうえで、入会手続きの受付を開始するようにしてもよい。
【００３２】
あるいは、入会手続きが終了した後、入会用端末３に携帯端末１０を翳すと、入会用端末３はそのカードＩＤを当該携帯端末１０から読み出してサーバ１に送信する。サーバ１は、このカードＩＤに基づいて本人であることを確認し、会員サービスへの入会を完了するようにしてもよい。
【００３３】
尚、上記本人確認は、入会手続き時に、携帯端末１０のカードＩＤをサーバ１へ送信することで行っても良いので、入会用端末３は必ずしも必要な構成ではない。
上述した図１、図２に示す本システムによれば、非会員の任意のユーザの携帯端末１０を用いた電子マネー決済に伴って、入会案内が携帯端末１０に書き込まれ、いつでも見てもらうことができる。また、携帯端末１０で入会案内電子データのリンクから入会手続きを行うことができ、入会が速やかに行われ入会と同時に会員サービスを提供できる。
【００３４】
更に、後述する実施例２のように、非会員の電子マネー決済の決済金額や決済履歴（決済金額の合計等）に応じた特典（例えばポイントなど）を付与すること等もできる（入会案内にポイントを付与する旨や具体的なポイント値等を記述する）。あるいは、特に高額な決済をした非会員に対して更に優遇措置を取ったりしてもよい。
【００３５】
以下、図３以降の各図面を参照して、上述した図１、図２に示す本システムについて、更に詳細に説明する。
まず、図３には上記決済端末２の処理フローチャート図、図４にはサーバ１の処理フローチャート図を示す。
【００３６】
図３に示すように、決済端末２は、任意の携帯端末１０に係る上記ステップＳ１の決済処理を実行完了したら、上記カードＩＤ、決済情報等をサーバ１へ送信し（ステップＳ１１）、その応答を待つ。そして、サーバ１からのレスポンスを受信したら（ステップＳ１２）、このレスポンスに入会案内電子データが含まれている場合には（ステップＳ１３）、この入会案内電子データを上記の通り携帯端末１０に転送して格納させる。
【００３７】
また、サーバ１の処理に関しては、上記図４を参照すると共に図５も参照して説明する。
まず、図５について説明しておく。尚、図４、図５は実施例１に対応する例である。よって、以下、実施例１について説明するものともいえる。
【００３８】
図５は、上記の通りＤＢ１ａに格納される各種テーブルの構成の一例を示す図である。
すなわち、図５には、上記ＤＢ１ａに格納される各種テーブルの一例である、会員情報テーブル２０、決済履歴テーブル３０、勧誘履歴テーブル４０、及び決済／勧誘リンクテーブル５０のデータ構成の一例を示す。
【００３９】
会員情報テーブル２０は、ＣＩＤ２１、ＳＴＡＴＵＳ２２の各データ項目より成る。ＣＩＤ２１は上記カードＩＤであり、ＳＴＡＴＵＳ２２には「非会員」、「入会手続き中」、「会員」の何れかの状態が格納される。つまり、本例の会員情報テーブル２０には、会員だけでなく、上記ステップＳ４により入会案内電子データを送ったユーザに関しても、「非会員」として登録される。そして、後に上記入会手続きを経て会員となった場合には、そのＳＴＡＴＵＳ２２が「会員」に変わることになる。
【００４０】
決済履歴テーブル３０は、ＡＩＤ３１、ＣＩＤ３２、ＡＴＩＭＥ３３、ＰＲＩＣＥ３４の各データ項目より成る。
ＡＩＤ３１は当該決済履歴テーブル３０内の各レコードに任意に割り当てられるレコード識別用のＩＤである。ＣＩＤ３２は、上記ＣＩＤ２１と同様、上記カードＩＤである。ＡＴＩＭＥ３３には決済日時、ＰＲＩＣＥ３４には決済金額が格納される。つまり、上記各カードＩＤに対応付けて上記決済情報が格納される。
【００４１】
勧誘履歴テーブル４０は、ＤＩＤ４１、ＣＩＤ４２、ＤＴＩＭＥ４３の各データ項目より成る。
ＤＩＤ４１は当該勧誘履歴テーブル４０内の各レコードに任意に割り当てられるレコード識別用のＩＤである。ＣＩＤ４２は、上記ＣＩＤ２１等と同様、上記カードＩＤである。ＤＴＩＭＥ４３は、勧誘日時、すなわち上記入会案内電子データを配信した日時である。
【００４２】
決済／勧誘リンクテーブル５０は、ＬＩＤ５１、ＤＩＤ５２、ＡＩＤ５３の各データ項目より成る。
ＬＩＤ５１は当該決済／勧誘リンクテーブル５０内の各レコードに任意に割り当てられるレコード識別用のＩＤである。そして、上記決済履歴テーブル３０と勧誘履歴テーブル４０とに上記の通り新規追加されたレコード同士を対応付ける為に、これらレコードの上記ＡＩＤ３１とＤＩＤ４１とをそれぞれＡＩＤ５３とＤＩＤ５２に格納している。
【００４３】
尚、決済／勧誘リンクテーブル５０は、特に実施例１においては必ずしも必要なものではない。
以上説明した図５の各テーブルも用いて、以下、図４のフローチャートの処理について
説明する。
【００４４】
図４において、サーバ１は、任意の決済端末２が送信した上記カードＩＤ、決済情報を受信すると（ステップＳ２１）、まず、新規ＡＩＤを生成し、決済履歴テーブル３０に新規レコードを追加して、この新規レコードのＡＩＤ３１に新規ＡＩＤを格納すると共に、この新規レコードのＣＩＤ３２、ＡＴＩＭＥ３３、ＰＲＩＣＥ３４に、それぞれ、受信したカードＩＤ及び決済情報（決済日時、決済金額）を格納する。
【００４５】
次に、受信したカードＩＤをキーにして会員情報テーブル２０を検索して、同一のカードＩＤ（ＣＩＤ２１）を有するレコードが存在するか否かを確認する。つまり、当該カードＩＤが既に会員情報テーブル２０に登録済みであるか否かを確認し、登録済みである場合には（ステップＳ２４，ＹＥＳ）、ステップＳ２５〜Ｓ２８の処理を実行することなく、上記決済情報の送信元の決済端末２に対して所定のレスポンス（例えば決済情報受信を示すレスポンス等）を送信する（ステップＳ２９）。当然、この場合にはレスポンスには入会案内電子データは含まれていないので、上記ステップＳ１３の判定はＮＯとなる。
【００４６】
一方、受信したカードＩＤが会員情報テーブル２０に未登録である場合には（ステップＳ２４，ＮＯ）、このカードＩＤが示すユーザは非会員であるので、勧誘の為の処理を行うことになる。すなわち、ステップＳ２５〜Ｓ２８の処理を実行する。尚、勧誘は、各ユーザ毎に１度だけとは決まっていないので、後に説明する実施例２の場合と同様に、会員情報テーブル２０に登録済みであってもそのＳＴＡＴＵＳ２２が「非会員」の場合には、勧誘の為の処理を行うようにしてもよい。但し、ここでは、未登録である場合に行う処理として、ステップＳ２５〜Ｓ２８の処理を示す。
【００４７】
すなわち、まず、会員情報テーブル２０に新規レコードを追加して、この新規レコードのＣＩＤ２１に上記受信したカードＩＤを格納し、ＳＴＡＴＵＳ２２には「非会員」を格納する（ステップＳ２５）。
【００４８】
次に、例えば後に図７等に一例を示すような入会案内電子データのテンプレートを、不図示のファイルシステム等から取得して、このテンプレートに基づいて入会案内電子データを生成する。すなわち、例えば、このテンプレートにおける誘導情報に、例えば上記決済履歴テーブル３０の新規レコードのＡＩＤ３１を付加することで、入会案内電子データを生成する（ステップＳ２６）。この例に限らず、例えば上記受信したカードＩＤを誘導情報に付加してもよい。あるいは当該ステップＳ２６の処理の前に後述するステップＳ２８の処理を行ってもよく、その場合には、勧誘履歴の新規レコードのＤＩＤ４１を、誘導情報に付加してもよい。
【００４９】
そして、上記生成した入会案内電子データをレスポンスに追加する（ステップＳ２７）。
更に、新規ＤＩＤを生成し、勧誘履歴テーブル４０に新規レコードを追加して、この新規レコードのＤＩＤ４１に新規ＤＩＤを格納すると共に、この新規レコードのＣＩＤ４２に上記受信したカードＩＤを格納する。また、例えば現在日時等を上記勧誘日時として新規レコードのＤＴＩＭＥ４３に格納する（ステップＳ２８）。
【００５０】
そして、上記カードＩＤ、決済情報の送信元の決済端末２に対して上記レスポンスを送信する（ステップＳ２９）。当然、この場合にはレスポンスには入会案内電子データが付加されているので、上記ステップＳ１３の判定はＹＥＳとなる。
【００５１】
以下、上述した処理（特にサーバ１の処理）について、図６以降に示す具体例を参照しながら、更に具体的、詳細に説明する。
図６、図７、図９、図１０に、上記図５に示す各種テーブルに格納されるデータの具体例と、その推移について示す。
【００５２】
この例では、あるとき、図６に示す状態であったものとする。そして、この状態において、会員情報テーブル２０に未登録のユーザ（つまり「非会員」のユーザ）が、任意の決済端末２において自己の携帯端末１０を用いて決済処理を行ったものとし、この携帯端末１０のカードＩＤが「１０４０」であったものとする。この場合、上記任意の決済端末２からカードＩＤ＝「１０４０」と決済情報が送られてくることになる。
【００５３】
更に詳しくは、上記未登録ユーザが任意の店舗で４，９８０円分の商品購入を行い、レジ等において店員が決済金額４，９８０円を入力した後、未登録ユーザは、決済を行うため自己の携帯端末１０（電子マネー機能搭載の携帯端末）をレジ横の決済端末２に翳す。
【００５４】
これより、この決済端末２は、一般的な電子マネー決済処理を行った後、この携帯端末１０のカードＩＤと共にこのときの決済情報（決済時刻、決済金額等）をサーバ１に送信する。本例では、上記の通り、カードＩＤ＝「１０４０」、決済金額＝４，９８０円等である。
【００５５】
サーバ１は、上記決済端末２からのカードＩＤ、決済情報を受信すると、このカードＩＤ、決済情報を、任意に決めた決済履歴ＩＤ（ＡＩＤ＝１０４）に対応付けて決済履歴テーブル３０に新規レコードとして追加記録する。
【００５６】
次に、会員情報テーブル２０において受信したカードＩＤに該当するレコード（ＣＩＤ＝１０４０のレコード）を検索する。この例では会員情報テーブル２０に該当するレコードがないので、非会員のユーザであることが分かり、上記のステップＳ２５〜Ｓ２８の処理を実行することになる。
【００５７】
すなわち、まず、会員情報テーブル２０に新規レコード（ＣＩＤ＝１０４０、ステータス＝「非会員」）を追加する。同様に、勧誘履歴テーブル４０に新規レコード（ＤＩＤ＝１４、ＣＩＤ＝１０４０、勧誘日時=2007/4/1 09:13:56）を追加する。尚、勧誘履歴ＩＤ（ＤＩＤ＝１４）の値は、上記の通りサーバ１が任意に（例えば１，２，３・・・等というように）決定してよい。
【００５８】
更に、上記決済履歴テーブル３０及び勧誘履歴テーブル４０に追加した新規レコードのＡＩＤ３１及びＤＩＤ４１と任意に決定したＬＩＤ（＝４）とを対応付けた新規レコード（ＬＩＤ５１＝‘４’、ＤＩＤ５２＝‘１４’ＡＩＤ５３＝‘１０４’）を、決済／勧誘リンクテーブル５０に追加する。
【００５９】
以上の処理により、各種テーブルは、図６に示す状態から図７に示す状態へと変わっている。
次に、サーバ１上のファイルシステムから入会案内用電子データのテンプレートを読み出す。
【００６０】
ここで、図８（ａ）に、入会案内用電子データのテンプレートの一例を示す。
尚、図示の例ではHTML形式を例に挙げているが、携帯端末１０側で画面表示できるデータ形式のものであれば何でも良い。
【００６１】
図８（ａ）のテンプレートにおいて、「a href=“http://w.x.y/z?did=14”>こちら</a>」が上記誘導情報（サーバ１のＵＲＬ等）に相当する。「http://w.x.y/」がサーバのドメイン名であり、その後に続く「?did=※」が上記勧誘履歴ID等の付加情報を付加する為
の変数部分である。つまり、ＵＲＬ等に“?did=”というクエリストリングを付加する為の変数部分である。尚、本例は上記勧誘履歴ID（DID）を付加する例なので“?did=”となっているが、この例に限らず、例えば上記決済履歴ＩＤ（ＡＩＤ）を付加させたい場合には“?aid=”等とすればよい。
【００６２】
そして、本例では、上記ステップＳ２６の処理において、上記テンプレート中の変数部分（「?did=※」の※）に勧誘履歴ＩＤ（ＤＩＤ＝１４）を代入することで、誘導情報が完成して、図８（ｃ）に示す入会案内用電子データが作成される。図示の通り、入会案内用電子データの勧誘文中に「a href=“http://w.x.y/z?did=14”」が埋め込まれている。尚、この「a href=“http://w.x.y/z?did=14”」全体を誘導情報と見做してもよい。
【００６３】
そして、サーバ１は、この様にして作成した入会案内用電子データを決済端末２へ配信し、上記の通り入会案内用電子データは携帯端末１０に書き込まれることになる。そして、携帯端末１０の上記非会員ユーザが所定の操作を行うことで、携帯端末１０のディスプレイに入会案内用電子データに基づく表示が行われることになる。図８（ｃ）に示す例では図８（ｂ）に示す表示が行われることになる。図８（ｂ）の画面では、図示のような勧誘文が表示されると共に、この勧誘文中の「こちら」の表示部分に上記サーバ１への誘導情報が埋め込まれている。
【００６４】
よって、携帯端末１０のユーザは、表示された勧誘文を参照して入会する気になったら、「こちら」の表示部分をクリックする等の操作を行うことで、携帯端末１０は上記誘導情報を用いてサーバ１（その会員登録ページ等）にアクセスすることになる。
【００６５】
この入会アクセスの際のサーバ１の処理は、図４には示していないが、以下、本具体例を用いて以下に入会アクセスの際の処理例について説明する。
すなわち、サーバ１は、上記入会アクセスを受けると、まず、上記付加情報（クエストリング）である勧誘履歴ＩＤ（ＤＩＤ＝１４）を取得し、この勧誘履歴ＩＤを用いて勧誘履歴テーブル４０を検索することで該当するレコードを求めて、このレコードのカードＩＤ（ＣＩＤ４２＝「１０４０」）を取得する。更に、このカードＩＤを用いて会員情報テーブル２０を検索することで該当する（ＣＩＤ２１＝「１０４０」の）レコードを求め、この該当レコードのＳＴＡＴＵＳ２２を上記「非会員」から「入会手続き中」に変更する。
【００６６】
これによって、会員情報テーブル２０は、図７に示す状態から図９に示す状態に変わる。
そして、上記会員登録ページ上でユーザに入会に必要な各種情報（住所、氏名等の個人情報等）を入力させる。そして、入力完了する等して所定の入会手続きが一応完了したら、携帯端末１０へのレスポンスメッセージとして、例えば「入会用端末へ携帯端末を翳すことで入会手続きが完了する」旨を記載したメッセージを、携帯端末１０へ送信する。尚、上記ＳＴＡＴＵＳ２２を「非会員」から「入会手続き中」に変更する処理は、当該各種情報入力完了後や当該メッセージ送信後に行うようにしてもよい。
【００６７】
携帯端末１０は、このレスポンスメッセージを表示する。
これより、携帯端末１０のユーザは、上記レスポンスメッセージの表示に従って入会用端末３のところに行き、そこで携帯端末１０を翳す。
【００６８】
これより、入会用端末３は、携帯端末１０からカードＩＤ（ＣＩＤ＝1040
１０４０）を読み出し、サーバ１へ送信する。
サーバ１は、入会用端末３から送信されたカードＩＤ（ＣＩＤ＝１０４０）を受信し、これに基づいて会員情報テーブル２０を検索して、該当するレコードがあることを確認す
る。該当するレコードとは、受信したカードＩＤと同一のＣＩＤ２１であってＳＴＡＴＵＳ２２が「入会手続き中」のレコードである。もし、該当するレコードが無ければエラーメッセージ等を返信して、本処理は終了する。
【００６９】
もし、該当するレコードがあれば、このレコードのＳＴＡＴＵＳ２２を、「入会手続き中）」から「会員」に変更する。これによって、会員情報テーブル２０は、図９に示す状態から図１０に示す状態に変わることになる。
【００７０】
尚、もし入会時の特典として入会ポイントの付与があるとすれば、このタイミングで付与する。そして、入会用端末３に対して入会手続きが完了した旨を示すメッセージを送信して携帯端末１０にこのメッセージを書き込ませる。
【００７１】
以上説明した実施例１では、上述したように、非会員の電子マネー機能搭載の携帯端末による決済時に、この携帯端末にサーバへの誘導情報を含む会員サービス入会勧誘の為の電子データを書き込むことで、非会員は、この電子データをいつでも参照できると共に、自己の携帯端末から容易に入会手続きを行うことができる。
【００７２】
更に詳しくは、実施例１によれば、以下の効果が得られる。
すなわち、非会員の顧客の決済時に会員サービス入会案内を携帯端末に配信することで、決済した顧客に対して確実に案内文を送り付けることができ、勧誘の詳細情報を自己の携帯端末でいつでも見てもらえる。また、配信される入会案内に会員登録サーバへ誘導する情報を付加しておくので、携帯端末において、決済時に取得した入会案内から会員登録サーバへ容易にアクセスできるようにすることで、入会手続きの手間（会員登録サーバのアドレス取得等の煩わしさ）をなくせる。よって、入会を促進することが可能となる。
【００７３】
また、チラシやパンフレット等を作り直す時のような印刷コストはなく、営業方針（案内情報）が決定してから配信できるようになるまでのタイムラグも短い。
以下、実施例２について説明する。
【００７４】
尚、本例の未登録ユーザの携帯端末１０に搭載されている非接触型ＩＣカード１３のカードＩＤは、実施例1と同様に「１０４０」であったとする。
実施例２は、その基本的な動作・処理は、実施例１と略同様である。実施例２が実施例１と異なる点は、上記勧誘文として、例えば、各ユーザ毎の決済の状況（決済金額、決済金額累計等）に応じた具体的な特典を与える旨を記載した、各ユーザ個別の内容の入会案内電子データを作成して、これを該ユーザの携帯端末１０に格納させて表示させると共に、実際に入会手続きが行われた場合には上記特典を適用するようにする点である。特典とは、例えば会員サービス用ポイントを付与する等、ユーザにとって入会することで何らかのメリットが得られるものであり、例えば各ユーザ毎の決済状況等に応じた具体的なポイント値等を算出して提示するものである。
【００７５】
以下の説明ではポイント付与を例にする。
まず、図１１に、実施例２における各種テーブルの構造例を示す。
図示の通り、会員情報テーブル以外の各テーブルは、図５に示す実施例１のテーブルと略同様であり、同一符号を付してあり、その説明は省略する。
【００７６】
図１１に示す、実施例２における会員情報テーブル６０は、ＣＩＤ６１、ＳＴＡＴＵＳ６２、ＰＯＩＮＴ６３の各データ項目より成る。このうち、ＣＩＤ６１及びＳＴＡＴＵＳ６２は、図５のＣＩＤ２１及びＳＴＡＴＵＳ２２と同じであるので、その説明は省略する。
【００７７】
ＰＯＩＮＴ６３は、会員情報テーブル６０に登録されている各会員が、会員サービスで利用できるポイントである。このポイントは、例えば会員として何かを購入する毎に付与される。よって、通常であれば、入会直後のユーザのＰＯＩＮＴ６３は‘０’であるが、本例では、特典として、各ユーザ毎の決済の状況（決済金額、決済金額累計等）に応じて、最初からポイントが与えられる。
【００７８】
実施例２においても、基本的な処理の流れは、上記図３、図４の処理と略同様である。但し、図４におけるステップＳ２３〜Ｓ２５やステップＳ２６の処理の処理内容や、このステップＳ２６処理に係るデータ（入会案内用電子データ、そのテンプレート）において、実施例１とは異なる部分がある。また、入会手続きの際の処理内容も、実施例１と異なる部分がある。これらに関して、特にフローチャート等は図示しないが、以下、図１２以降に示す具体例を参照しながら、具体的な処理の一例について説明する。
【００７９】
尚、以下に示す１４８０円の決済の処理前の各テーブルのデータ格納状態を図１２に示す。
図１２に示すように、以下に説明するカードＩＤ「１０４０」のユーザは、以前に電子マネー決済した際に既に会員情報テーブル２０に登録されている。但し、入会手続きは行っていないので、図示の通りＳＴＡＴＵＳ６２は「非会員」のままとなっている。
【００８０】
まず、本例では、上記カードＩＤ「１０４０」である任意の非会員のユーザが、任意の店舗で１４８０円分の買い物を行い、自己の携帯端末１０を用いて電子マネー決済を行うものとする。そして、例えば、店員がレジ等において決済金額１４８０円を入力した後、上記非会員のユーザは、決済を行うため電子マネー機能搭載の携帯端末１０を、レジ横の決済端末２に翳す。
【００８１】
これより、決済端末２は、一般的な電子マネー決済処理を行った後、この決済情報（決済時刻、決済金額）と共に上記携帯端末１０の非接触型ＩＣカード１３のカードＩＤをサーバ１に送信する。実施例１と同様、このカードＩＤはサーバ１側においてユーザ識別情報として利用される。
【００８２】
サーバ１は、上記決済端末２から送信された上記カードＩＤ、決済情報を受信すると、このカードＩＤ、決済情報を、任意に生成した決済履歴ＩＤ（ＡＩＤ＝１０５）に対応付けて決済履歴テーブル３０に追加する（ステップＳ２２と同様の処理）。
【００８３】
続いて、上記受信したカードＩＤ「１０４０」をキーにして会員情報テーブル２０を検索して、該当する（ＣＩＤ＝１０４０の）レコードがあるか否かをチェックする。もし、該当するレコードが無い場合には上記実施例１と同様にステップＳ２５の処理を実行し、更に以下に説明する勧誘履歴テーブルにおける新規レコード追加や入会案内用電子データの作成・配信処理を実行する。
【００８４】
一方、実施例２では、もし、該当するレコードがある場合であっても、そのＳＴＡＴＵＳ６２は「非会員」の場合には、ステップＳ２５の処理は実行しないが、以下に説明する勧誘履歴テーブルにおける新規レコード追加や入会案内用電子データの作成・配信処理は実行する。
【００８５】
上記例では、図１２に示すように、該当する（ＣＩＤ＝１０４０の）レコードはあるが、そのSTATUS６２は「非会員」となっている。よって、まず、任意の勧誘履歴ＩＤ（ＤＩＤ＝１５）を生成して、勧誘履歴テーブル４０に新規レコード（ＤＩＤ＝１５、ＣＩＤ＝１０４０、勧誘日時=2007/5/6 11:42:41）を追加する。勧誘日時は例えば現在日時等である。
【００８６】
図１２に示す例では、ＣＩＤ＝１０４０のユーザに関しては、勧誘履歴テーブル４０に既にＤＩＤ＝１４のレコードが存在しているので、これは、既に１回、勧誘が行われていることを意味しており、今回が２回目の勧誘となることを意味している。尚、この場合、当然、決済履歴テーブル３０にも１回目の勧誘の際の決済情報が格納されていることになり、図１２に示すＡＩＤ＝１０４のデータがそれである。
【００８７】
以上の処理により、各テーブルの内容は、図１２に示す状態から図１３に示す状態になる。すなわち、決済履歴テーブル３０及び勧誘履歴テーブル４０に、それぞれ図示の新規レコード（ＡＩＤ＝１０５、ＤＩＤ＝１５）が追加されている。また、決済／勧誘リンクテーブル５０にも、これら新規レコード（ＡＩＤ＝１０５、ＤＩＤ＝１５）を関連付けた図示のＬＩＤ＝５の新規レコードを作成・追加する。
【００８８】
次に、サーバ１上のファイルシステムから入会案内用電子データのテンプレートを読み出す。
ここで、実施例２における入会案内用電子データのテンプレートの一例を図１４（ａ）に示す。尚、図１４（ａ）に示すテンプレートをそのまま用いて表示を行った場合、図１４（ｂ）に示すような表示となるが、実際には入会案内用電子データに基づく表示となるので、図１４（ｂ）に示す表示における“※”の部分には、各ユーザ毎の決済の状況に応じた具体的な数字（後述する１４８０、１４８等）が表示されることになる。
【００８９】
図１４（ａ）に示すテンプレートにおいて、図示の「a href=“http://w.x.y/z?did=※”」に関しては、図８（ａ）で説明した通りであり、その変数部分に上記勧誘履歴ID等の付加情報を代入するものであり、ここでの説明は省略する。
【００９０】
そして、図示のテンプレートでは、勧誘文として、各ユーザ毎の決済の状況（今回の決済金額、決済金額累計等）に応じた会員サービス用ポイントを付与する旨を記載してある。そして、この勧誘文中に入会特典に係る可変情報を埋め込む為の変数部分が存在する。すなわち、金額（※円）とポイント（※円相当）の２つの部分である。この変数部分に例えば今回の決済金額又は決済金額累計と、今回の決済金額又は決済金額累計に応じたポイントを代入することで、入会案内用電子データの作成が完了する。
【００９１】
ここでは、今回の決済金額に応じてポイントを付与するものとし、更に、勧誘文に示す通り、決済金額の１０％とポイントとする。よって、上記の例では、今回の決済金額（テーブル３０の新規レコードのＰＲＩＣＥ３４）は１４８０円であるので、ポイントは１４８０×０．１＝１４８となり、上記テンプレート中の変数部分に、これら１４８０、付与予定のポイント数１４８、付加情報（ここでは勧誘履歴ＩＤ（ＤＩＤ＝１５））をそれぞれ代入することで、図１４（ｃ）に示す入会案内用電子データが作成されることになる。
【００９２】
そして、ステップＳ２９の処理により、当該作成した入会案内用電子データを付加したレスポンスを、決済端末２へ送信することで、既に説明したように、入会案内用電子データは、携帯端末１０に格納され、そのユーザは任意のときにこれを表示させることができると共に、容易にサーバ１にアクセスして入会手続きを行うことができる。
【００９３】
尚、携帯端末１０は、上記入会案内用電子データを受信するまで、決済端末２に翳しておく必要がある。これは実施例１においても同様である。
ここで、本例では、上記カードＩＤ「１０４０」のユーザは、上記１４８０円の買い物（それに伴う入会案内用電子データの受信）の後に、更に別の買い物をしたとし、その金額は８４８０円であり、これを電子マネーにより支払ったものとする。
【００９４】
これより、店員がレジに決済金額８４８０円を入力した後、上記カードＩＤ「１０４０」のユーザは、決済を行うため電子マネー機能搭載の携帯端末１０を決済端末２に翳す。
これより決済端末２は、所定の電子マネー決済処理を行った後、この決済情報（決済時刻、決済金額（８４８０円））と共にカードＩＤをサーバ１に送信する。
【００９５】
サーバ１は、決済端末から送信されたカードＩＤ、決済情報を受信し、新たな任意の決済履歴ＩＤ（ＡＩＤ＝１０６）し、この決済履歴ＩＤ（ＡＩＤ＝１０６）に対応付けて受信したカードＩＤ、決済情報を決済履歴テーブル３０に追加記録する。
【００９６】
続いて、上記受信したカードＩＤ「１０４０」をキーにして会員情報テーブル２０を検索して（ここでは各テーブルは図１３に示す状態となっている）、該当する（ＣＩＤ＝１０４０の）レコードがあるか否か、更に「非会員」であるか否かをチェックする。本例では、上記の通り、該当する（ＣＩＤ＝１０４０の）レコードはあるが、そのＳＴＡＴＵＳ６２は「非会員」となっている。
【００９７】
よって、まず、任意の勧誘履歴ＩＤ（ＤＩＤ＝１５）を生成して、勧誘履歴テーブル４０に新規レコード（ＤＩＤ＝１５、ＣＩＤ＝１０４０、勧誘日時=2007/5/6 11:59:07）を追加する。
【００９８】
更に、ここで、決済／勧誘リンクテーブル５０に関して、上記と同様、任意の新規ＬＩＤ（＝６）を生成して、これに上記２つの新規レコード（ＤＩＤ＝１５ とＡＩＤ＝１０６）を対応付けた新規レコードを生成・追加するが、ここでは更に、以下の処理を行う。尚、以下の処理は、上記各ユーザ毎の決済の状況（今回の決済金額、決済金額累計等）における“決済金額累計”の例として、任意の１日における決済金額の合計を用いる例に対応する処理であり、更には上記付加情報として勧誘履歴ＩＤを用いる例に対応するものであり、当然、この様な例に限るものではない。また、後述するように、決済／勧誘リンクテーブル５０が無くても、決済金額累計等は算出できる。
【００９９】
すなわち、例えば決済履歴テーブル３０において上記新規レコード（ＣＩＤ＝１０４０、ＡＩＤ＝１０６）に基づいて、これと同一ユーザ（ＣＩＤが同一）且つ同日のレコードを検索する。図示の例では、ＡＩＤ＝１０６のレコードのＡＴＩＭＥ３３の日付は“２００７年５月６日”であるので、ＡＩＤ＝１０５のレコードが該当することになる。
【０１００】
これより、決済／勧誘リンクテーブル５０において、上記新規レコードの勧誘履歴ＩＤ（ＤＩＤ＝１６）には上記同日の決済履歴ＩＤ２つ（ＡＩＤ＝１０５，１０６）をリンクさせる。つまり、図１５に示す新規レコード（ＬＩＤ＝７、ＤＩＤ＝１６、ＡＩＤ＝１０５）を作成・追加する。
【０１０１】
そして、決済／勧誘リンクテーブル５０に基づいて、この例ではＡＩＤ＝１０５，１０６の２つのレコードの決済金額（ＰＲＩＣＥ＝１４８０，８４８０）を取得して、取得した決済金額の合計額９９６０円を算出し、これを勧誘当日の決済金額とする。
【０１０２】
以上の処理により、各テーブルの格納データは、図１５に示す状態となっている。
更に、サーバ１上のファイルシステムから入会案内用電子データのテンプレートを読み出す。そして、既に説明したように、テンプレート中の各変数部分に当日の決済金額９９６０、付与予定のポイント数９９６、勧誘履歴ＩＤ（ＤＩＤ＝１６）を代入することで、図１６に示す入会案内用電子データを作成する。
【０１０３】
そして、この入会案内用電子データを決済端末２へ配信する。決済端末２は、サーバ１から受信した入会案内用電子データを携帯端末１０へ書き込む。その後、ユーザは、自己
の携帯端末１０を決済端末２に翳すのを止める。そして、自己の携帯端末１０において受信した入会案内用電子データを表示させることで、自己に与えられる特典内容（入会すればもらえるポイント値等）を認識することができる。
【０１０４】
そして、入会したいと思ったならば、誘導情報に基づいてサーバ１にアクセスする。
上記のようにして、各テーブルの格納データが図１５に示す状態となっているときに、上記カードＩＤ「１０４０」のユーザが、上記入会案内用電子データに含まれる誘導情報に基づいて、サーバ１にアクセスした場合、サーバ１は以下の入会手続き処理を実行する。
【０１０５】
上記アクセスを受けると、サーバ１は、まず、入会手続きに必要な所定の情報（ユーザの個人情報等）をユーザに入力させて、これを記憶する。
サーバ１は、次に、上記アクセスに用いられた誘導情報に付加される上記付加情報（勧誘履歴ＩＤ（ＤＩＤ＝１６））を用いて、決済／勧誘リンクテーブル５０と勧誘履歴テーブル４０を検索することで、該当する決済履歴ＩＤ（ＡＩＤ＝１０５，１０６）とカードＩＤ（ＣＩＤ＝１０４０）を取得する。
【０１０６】
そして、取得した決済履歴ＩＤ（ＡＩＤ＝１０５，１０６）を用いて決済履歴レコード３０を検索することで、該当する（ＡＩＤ＝１０５，１０６の）レコードの決済金額（ＰＲＩＣＥ＝１４８０，８４８０）を取得して、取得した決済金額の合計額９９６０円を算出する。つまり、上記例では、２００７年５月６日の当該ユーザの決済金額の合計額を算出することになる。
【０１０７】
そして、この合計額９９６０に対する１０％のポイント値９９６を算出する。続いて、上記取得したカードＩＤ（ＣＩＤ＝１０４０）を用いて会員情報テーブル２０を検索して、該当する（ＣＩＤ＝１０４０の）レコードを求め、この該当レコードのＳＴＡＴＵＳ６２を「非会員」から「入会手続き中」に変更すると共に、そのＰＯＩＮＴ６３を初期値‘０’から‘９９６’に変更する。
【０１０８】
これより、各テーブルは図１７に示す状態となる。
そして、携帯端末１０へのレスポンスメッセージとして、例えば「入会用端末へ携帯端末を翳すことで入会手続きが完了する」旨を記載したメッセージを、決済端末２へ送信して、携帯端末１０に書き込ませる。
【０１０９】
携帯端末１０は、このレスポンスメッセージを表示する。これより、携帯端末１０のユーザは、上記レスポンスメッセージの表示に従って入会用端末３のところに行き、そこで携帯端末１０を翳す。これより、入会用端末３は、携帯端末１０からカードＩＤ（ＣＩＤ＝１０４０）を読み出し、サーバ１へ送信する。
【０１１０】
その後のサーバ１の処理は、上記実施例１の場合と略同様である。そして、各テーブルは図１８に示す状態となる。
尚、上記の通り、決済金額累計は上記の例に限らない。基本的には、カードＩＤ（上記の例では「１０４０」）をキーにして決済履歴テーブル３０を検索すれば、当該カードＩＤ（＝１０４０）のユーザに関する全決済情報を取得できる。これより、過去の全ての決済金額の累計を算出できる。あるいは、更に何らかの条件を与えて検索して該当するレコードを求めて、これら該当レコードの全ての決済金額の累計を算出してもよい。何らかの条件としては、例えば上記のように勧誘当日（２００７年５月６日）等としてもよいし、当然、他の任意の条件であってもよい。
【０１１１】
以上説明したように、実施例２によれば、上述した実施例１の効果に加えて、更に以下
の効果が得られる。
すなわち、決済時に決済端末が電子マネーの決済履歴を持つサーバと連動することで、配信する入会案内の内容は各非会員の決済状況別に変えられる。よって、顧客には顧客が得られる具体的（定量的）な付加価値を示して案内できる。また、案内通りの入会特典を付与できる。よって、入会の動機づけをより効果的に促進できる。特に、優良顧客の入会を更に促進することが可能となる。
【０１１２】
最後に、図１９に、サーバ１等のコンピュータのハードウェア構成図を示しておく。
図１９に示すコンピュータ７０は、ＣＰＵ７１、メモリ７２、入力部７３、出力部７４、記憶部７５、記録媒体駆動部７６、及びネットワーク接続部７７を有し、これらがバス７８に接続された構成となっている。
【０１１３】
ＣＰＵ７１は、当該コンピュータ７０全体を制御する中央処理装置である。
メモリ７２は、プログラム実行、データ更新等の際に、記憶部７５（あるいは可搬型記録媒体７９）に記憶されているプログラムあるいはデータを一時的に格納するＲＡＭ等のメモリである。ＣＰＵ７１は、メモリ７２に読み出したプログラム／データを用いて、各種処理を実行する。
【０１１４】
出力部７４は、例えばディスプレイ等であり、入力部７３は、例えば、キーボード、マウス等である。尚、出力部７４、入力部７３は無くてもよい。
ネットワーク接続部７７は、例えば不図示のネットワークに接続して、他の情報処理装置（決済端末２、入会用端末３、携帯端末１０等）との通信（コマンド／データ送受信等）を行う為の構成である。
【０１１５】
記憶部７５は、例えばハードディスク等であり、例えば当該コンピュータがサーバ１である場合には、図２のステップＳ２〜Ｓ５や図４のフローチャート等、上述したサーバ１の各種機能を実現させる為に必要となる各種プログラムが格納されている。また、記憶部７５は、ＤＢ１ａを兼ねてもよく、その場合には記憶部７５には例えば図５や図１１に示すデータ格納形式の各種テーブルが格納される。
【０１１６】
ＣＰＵ７１は、上記記憶部７５に格納されている各種プログラムを読み出し・実行することにより、上述したサーバ１の各種機能・処理（特に図２や図４等に示す処理）を実現する。
【０１１７】
あるいは、上記記憶部７５に格納される各種プログラム／データは、可搬型記録媒体７９に記憶されているものであってもよい。この場合、可搬型記録媒体７９に記憶されているプログラム／データは、記録媒体駆動部７６によって読み出される。可搬型記録媒体７９とは、例えば、ＦＤ（フレキシブル・ディスク）７９ａ、ＣＤ−ＲＯＭ７９ｂ、その他、ＤＶＤ、光磁気ディスク等である。
【０１１８】
あるいは、また、上記プログラム／データは、ネットワーク接続部７７により接続しているネットワークを介して、他の装置内に記憶されているものをダウンロードするものであってもよい。あるいは、更に、インターネットを介して、外部の他の装置内に記憶されているものをダウンロードするものであってもよい。
【０１１９】
また、本発明は、上記本発明の各種処理をコンピュータ上で実現するプログラムを記録した可搬型記憶媒体として構成できるだけでなく、当該プログラム自体として構成することもできる。
【図面の簡単な説明】
【０１２０】
【図１】本例の会員勧誘システムの概略的なシステム構成図である。
【図２】図１のシステムの概略的な動作を示す図である。
【図３】決済端末の処理フローチャート図である。
【図４】サーバの処理フローチャート図である。
【図５】実施例１における各種テーブルの構成の一例を示す図である。
【図６】図５に示す各種テーブルに格納されるデータの具体例とその推移を示す図（その１）である。
【図７】図５に示す各種テーブルに格納されるデータの具体例とその推移を示す図（その２）である。
【図８】（ａ）〜（ｃ）は、入会案内用電子データとそのテンプレートと表示例を示す図である。
【図９】図５に示す各種テーブルに格納されるデータの具体例とその推移を示す図（その３）である。
【図１０】図５に示す各種テーブルに格納されるデータの具体例とその推移を示す図（その４）である。
【図１１】実施例２における各種テーブルの構成の一例を示す図である。
【図１２】図１１に示す各種テーブルに格納されるデータの具体例とその推移を示す図（その１）である。
【図１３】図１１に示す各種テーブルに格納されるデータの具体例とその推移を示す図（その２）である。
【図１４】（ａ）〜（ｃ）は、入会案内用電子データとそのテンプレートと表示例を示す図である。
【図１５】図１１に示す各種テーブルに格納されるデータの具体例とその推移を示す図（その３）である。
【図１６】入会案内用電子データの他の具体例である。
【図１７】図１１に示す各種テーブルに格納されるデータの具体例とその推移を示す図（その４）である。
【図１８】図１１に示す各種テーブルに格納されるデータの具体例とその推移を示す図（その５）である。
【図１９】コンピュータ・ハードウェア構成図である。
【符号の説明】
【０１２１】
１  サーバ
１ａ  ＤＢ
２  決済端末
３  入会用端末
４  ネットワーク
５  無線基地局
１０  携帯端末
１１  プログラムメモリ
１２  データメモリ
１３  非接触型ＩＣカード
１３ａ  メモリ
２０  会員情報テーブル
２１  ＣＩＤ
２２  STATUS
３０  決済履歴テーブル
３１  ＡＩＤ
３２  ＣＩＤ
３３  ＡＴＩＭＥ
３４  ＰＲＩＣＥ
４０  勧誘履歴テーブル
４１  ＤＩＤ
４２  ＣＩＤ
４３  ＤＴＩＭＥ
５０  決済／勧誘リンクテーブル
５１  ＬＩＤ
５２  ＤＩＤ
５３  ＡＩＤ
６０  会員情報テーブル
６１  ＣＩＤ
６２  ＳＴＡＴＵＳ
６３  ＰＯＩＮＴ
７０  コンピュータ
７１  ＣＰＵ
７２  メモリ
７３  入力部
７４  出力部
７５  記憶部
７６  記録媒体駆動部
７７  ネットワーク接続部
７８  バス
７９  可搬型記録媒体
７９ａ  ＦＤ（フレキシブル・ディスク）
７９ｂ  ＣＤ−ＲＯＭ
【図１】
2009042849.tif 000003
【図２】
2009042849.tif 000004
【図３】
2009042849.tif 000005
【図４】
2009042849.tif 000006
【図５】
2009042849.tif 000007
【図６】
2009042849.tif 000008
【図７】
2009042849.tif 000009
【図８】
2009042849.tif 000010
【図９】
2009042849.tif 000011
【図１０】
2009042849.tif 000012
【図１１】
2009042849.tif 000013
【図１２】
2009042849.tif 000014
【図１３】
2009042849.tif 000015
【図１４】
2009042849.tif 000016
【図１５】
2009042849.tif 000017
【図１６】
2009042849.tif 000018
【図１７】
2009042849.tif 000019
【図１８】
2009042849.tif 000020
【図１９】
2009042849.tif 000021